(57)【要約】【課題】本発明はフィギュア展示装置を開示した。【解決手段】台座を含み、前記台座の上端には回転盤が回転できるように連結され、前記回転盤の上側端面には円筒が固定的に連結され、前記円筒の中には上に開口した伝動チャンバが設置され、前記回転盤の上側端面には前記伝動チャンバの中に位置した支持台が固定的に連結され、前記支持台の上側端面には保護筒が回転できるように連結され、前記保護筒の中には上に開口した昇降溝が設置され、前記昇降溝の中には展示装置がスライドできるように連結され、前記展示装置の中には前記展示装置を回転させる回転装置が設置される。【選択図】図１
2020175105.tif 000002
【特許請求の範囲】
【請求項１】
フィギュア展示装置であって、台座を含み、前記台座の上端には回転盤が回転できるように連結され、前記回転盤の上側端面には円筒が固定的に連結され、前記円筒の中には上に開口した伝動チャンバが設置され、前記回転盤の上側端面には前記伝動チャンバの中に位置した支持台が固定的に連結され、前記支持台の上側端面には保護筒が回転できるように連結され、前記保護筒の中には上に開口した昇降溝が設置され、前記昇降溝の中には展示装置がスライドできるように連結され、前記展示装置の中には前記展示装置を回転させる回転装置が設置され、前記昇降溝の円周の外側端面には四つのスライドレールが環状に配列分布され、前記スライドレールの中には前記展示装置を制御できる昇降装置が設置され、支持台によって前記昇降装置を制御でき、前記台座を平面に置き、前記回転盤を回転させ、前記支持台によって前記昇降装置を作動駆動し、それにより前記展示装置を上に移動連動させて前記昇降溝から滑り出す時、前記展示装置は重力によって外に翻転して前記円筒の上側端面と当接し、前記回転装置を始動し、前記展示装置を回転させ、フィギュアを全面的に展示することを特徴とするフィギュア展示装置。
【請求項２】
前記昇降装置には前記支持台の外側端面に設置されかつ環状に配列分布された四つのヒンジ連結座が含まれ、前記ヒンジ連結座の中には上下に連通し合っている抜き溝が設置され、前記抜き溝の中には位置制限軸が回転できるように連結され、前記位置制限軸には弓形棒が設置され、前記弓形棒の上端には固定ピンが固定的に連結され、前記スライドレールの中には前記固定ピンと固定的に連結された支持柱がスライドできるように連結されており、前記支持台が回転して前記ヒンジ連結座を回転連動させ、前記弓形棒の長さが定値であるため、前記弓形棒を前記スライドレールの中で上にスライドさせ、前記支持柱を上に移動連動させることを特徴とする請求項１に記載のフィギュア展示装置。
【請求項３】
前記展示装置は前記支持柱のうち対称中心に近接した側の端面と固定的に連結された回転板が含み、前記回転板の間には平板が固定的に連結され、前記回転板には上に開口した開口溝が設置され、前記開口溝の中には収納板が回転できるように連結されており、前記収納板の間が垂直まで回転した後相互に当接でき、前記平板との間と収納空間に形成し、フィギュアを展示したり保存したりすることを特徴とする請求項１又は請求項２に記載のフィギュア展示装置。
【請求項４】
前記回転装置は後側の前記収納板の中に設置された凹み溝を含み、前記凹み溝の前側には切替チャンバが設置され、前記切替チャンバの上端には対称中心から離れた方向に開口した駆動チャンバが連通し合って設置され、前記切替チャンバの後側の内壁にはラックがスライドできるように連結され、前記ラックには前記円筒と当接した当接板が設置され、前記当接板の前側と前記凹み溝の前側の内壁との間には抵抗力撥条が連結され、前記切替チャンバの中には前記ラックと当接した圧力センサが設置され、前記切替チャンバの中には上下に伸びて前記駆動チャンバの中に入った駆動軸が回転できるように連結され、前記切替チャンバには前記歯車と噛合伝動できる前記ラックが設置され、前記駆動軸には前記駆動チャンバの中に位置したカムが設置され、前記駆動チャンバの上端の内壁にはスライド溝が設置され、前記スライド溝には前記カムと当接した当接板がスライドできるように連結され、前記当接板と前記スライド溝の内壁との間には圧縮撥条が連結され、前記当接板の後側端面には固定棒が設置され、前記固定棒には伝動軸が回転できるように連結され、前記伝動軸には前記固定棒の下端に位置したモーターが設置され、前記伝動軸には前記固定棒の上端に位置した回転輪が設置されており、前記当接板が前記凹み溝の外側に位置し、前記収納板が水平に回転した後、前記当接板と前記円筒との当接により、前記当接板と推して移動し、一連の機械駆動によって前記回転輪と前記円筒とが当接し、かつ前記圧力センサが圧力を受けて前記モーターを始動し、前記収納板を回転させることを特徴とする請求項3に記載のフィギュア展示装置。
【発明の詳細な説明】
【技術分野】
【０００１】
本発明は玩具の技術分野を取り上げて、具体的にはフィギュア展示装置である。
【背景技術】
【０００２】
伝統的なフィギュアは清潔を保つまたは酸化を伸ばすため、ケースに封をして保管し、鑑賞する時人工的に開いて取り出す必要があり、それに通常に一つの方向に向かって変わらずに置くしかできなく、全方位の鑑賞はできなく、本発明は上記の問題を解決できる装置を説明する。
【先行技術文献】
【特許文献】
【０００３】
【特許文献１】中国特許出願公開第109222509号明細書
【発明の概要】
【発明が解決しようとする課題】
【０００４】
本発明の目的はフィギュア展示装置を提供し、それが現有の技術の問題を克服できる。
【課題を解決するための手段】
【０００５】
本発明のフィギュア展示装置は、台座を含み、前記台座の上端には回転盤が回転できるように連結され、前記回転盤の上側端面には円筒が固定的に連結され、前記円筒の中には上に開口した伝動チャンバが設置され、前記回転盤の上側端面には前記伝動チャンバの中に位置した支持台が固定的に連結され、前記支持台の上側端面には保護筒が回転できるように連結され、前記保護筒の中には上に開口した昇降溝が設置され、前記昇降溝の中には展示装置がスライドできるように連結され、前記展示装置の中には前記展示装置を回転させる回転装置が設置され、前記昇降溝の円周の外側端面には四つのスライドレールが環状に配列分布され、前記スライドレールの中には前記展示装置を制御できる昇降装置が設置され、支持台によって前記昇降装置を制御でき、前記台座を平面に置き、前記回転盤を回転させ、前記支持台によって前記昇降装置を作動駆動し、それにより前記展示装置を上に移動連動させて前記昇降溝から滑り出す時、前記展示装置は重力によって外に翻転して前記円筒の上側端面と当接し、前記回転装置を始動し、前記展示装置を回転させ、フィギュアを全面的に展示する。
【０００６】
更なる技術方案、前記昇降装置には前記支持台の外側端面に設置されかつ環状に配列分布された四つのヒンジ連結座が含まれ、前記ヒンジ連結座の中には上下に連通し合っている抜き溝が設置され、前記抜き溝の中には位置制限軸が回転できるように連結され、前記位置制限軸には弓形棒が設置され、前記弓形棒の上端には固定ピンが固定的に連結され、前記スライドレールの中には前記固定ピンと固定的に連結された支持柱がスライドできるように連結されており、前記支持台が回転して前記ヒンジ連結座を回転連動させ、前記弓形棒の長さが定値であるため、前記弓形棒を前記スライドレールの中で上にスライドさせ、前記支持柱を上に移動連動させる。
【０００７】
更なる技術方案、前記展示装置は前記支持柱のうち対称中心に近接した側の端面と固定的に連結された回転板が含み、前記回転板の間には平板が固定的に連結され、前記回転板には上に開口した開口溝が設置され、前記開口溝の中には収納板が回転できるように連結されており、前記収納板の間が垂直まで回転した後相互に当接でき、前記平板との間と収納空間に形成し、フィギュアを展示したり保存したりする。
【０００８】
更なる技術方案、前記回転装置は後側の前記収納板の中に設置された凹み溝を含み、前記凹み溝の前側には切替チャンバが設置され、前記切替チャンバの上端には対称中心から離れた方向に開口した駆動チャンバが連通し合って設置され、前記切替チャンバの後側の内壁にはラックがスライドできるように連結され、前記ラックには前記円筒と当接した当接板が設置され、前記当接板の前側と前記凹み溝の前側の内壁との間には抵抗力撥条が連結され、前記切替チャンバの中には前記ラックと当接した圧力センサが設置され、前記切替チャンバの中には上下に伸びて前記駆動チャンバの中に入った駆動軸が回転できるように連結され、前記切替チャンバには前記歯車と噛合伝動できる前記ラックが設置され、前記駆動軸には前記駆動チャンバの中に位置したカムが設置され、前記駆動チャンバの上端の内壁にはスライド溝が設置され、前記スライド溝には前記カムと当接した当接板がスライドできるように連結され、前記当接板と前記スライド溝の内壁との間には圧縮撥条が連結され、前記当接板の後側端面には固定棒が設置され、前記固定棒には伝動軸が回転できるように連結され、前記伝動軸には前記固定棒の下端に位置したモーターが設置され、前記伝動軸には前記固定棒の上端に位置した回転輪が設置されており、前記当接板が前記凹み溝の外側に位置し、前記収納板が水平に回転した後、前記当接板と前記円筒との当接により、前記当接板と推して移動し、一連の機械駆動によって前記回転輪と前記円筒とが当接し、かつ前記圧力センサが圧力を受けて前記モーターを始動し、前記収納板を回転させる。
【発明の効果】
【０００９】
本発明の有益な効果は下記の通りである：
【００１０】
本発明は、同じトレイに設置されて独立に回転できる仕切板が昇降する過程で溝に制限されて当接しあい、自動的にフィギュアの保護収納を実現でき、それに仕切板の自身の位置の変化によって、回転構造を自動的に始動し、フィギュアを更に全面的に立体な角度に展示し、九十度回転の力さえあれば設備の作動を実現でき、操作が便利である。
【図面の簡単な説明】
【００１１】
便利に説明するため、本発明は下記の具体実施例及び附図によって詳しく説明する。
【図１】図１は本発明のフィギュア展示装置の全体構造模式図
【図２】図２は図１の「Ａ−Ａ」の構造模式図
【図３】図３は図２の「Ｂ−Ｂ」の構造模式図
【図４】図４は図２の回転装置の構造模式図
【図５】図５は図２の「Ｃ−Ｃ」の構造模式図
【図６】図６は図５の「Ｄ］の拡大構造模式図
【発明を実施するための形態】
【００１２】
以下は図１−６について本発明にを詳しく説明し、その中、便利に叙述するように、後文に出る方位を下記の通りに規定する：後文に出る上下左右前後方向は図１本体の投影関係の上下左右前後方向と一致する。
【００１３】
本発明のフィギュア展示装置は、台座１１を含み、前記台座１１の上端には回転盤１２が回転できるように連結され、前記回転盤１２の上側端面には円筒１６が固定的に連結され、前記円筒１６の中には上に開口した伝動チャンバ１５が設置され、前記回転盤１２の上側端面には前記伝動チャンバ１５の中に位置した支持台１４が固定的に連結され、前記支持台１４の上側端面には保護筒２１が回転できるように連結され、前記保護筒２１の中には上に開口した昇降溝２２が設置され、前記昇降溝２２の中には展示装置９０１がスライドできるように連結され、前記展示装置９０１の中には前記展示装置９０１を回転させる回転装置９０２が設置され、前記昇降溝２２の円周の外側端面には四つのスライドレール４４が環状に配列分布され、前記スライドレール４４の中には前記展示装置９０１を制御できる昇降装置９０３が設置され、支持台１４によって前記昇降装置９０３を制御でき、  前記台座１１を平面に置き、前記回転盤１２を回転させ、前記支持台１４によって前記昇降装置９０３を作動駆動し、それにより前記展示装置９０１を上に移動連動させて前記昇降溝２２から滑り出す時、前記展示装置９０１は重力によって外に翻転して前記円筒１６の上側端面と当接し、前記回転装置９０２を始動し、前記展示装置９０１を回転させ、フィギュアを全面的に展示する。
【００１４】
有益なように、前記昇降装置９０３には前記支持台１４の外側端面に設置されかつ環状に配列分布された四つのヒンジ連結座１３が含まれ、前記ヒンジ連結座１３の中には上下に連通し合っている抜き溝４５が設置され、前記抜き溝４５の中には位置制限軸４６が回転できるように連結され、前記位置制限軸４６には弓形棒１７が設置され、前記弓形棒１７の上端には固定ピン１８が固定的に連結され、前記スライドレール４４の中には前記固定ピン１８と固定的に連結された支持柱１９がスライドできるように連結されており、前記支持台１４が回転して前記ヒンジ連結座１３を回転連動させ、前記弓形棒１７の長さが定値であるため、前記弓形棒１７を前記スライドレール４４の中で上にスライドさせ、前記支持柱を上に移動連動させる。
【００１５】
有益なように、前記展示装置９０１は前記支持柱１９のうち対称中心に近接した側の端面と固定的に連結された回転板２５が含み、前記回転板２５の間には平板２６が固定的に連結され、前記回転板２５には上に開口した開口溝２４が設置され、前記開口溝２４の中には収納板２０が回転できるように連結されており、前記収納板２０の間が垂直まで回転した後相互に当接でき、前記平板２６との間と収納空間に形成し、フィギュアを展示したり保存したりする。
【００１６】
有益なように、前記回転装置９０２は後側の前記収納板２０の中に設置された凹み溝３３を含み、前記凹み溝３３の前側には切替チャンバ３９が設置され、前記切替チャンバ３９の上端には対称中心から離れた方向に開口した駆動チャンバ４２が連通し合って設置され、前記切替チャンバ３９の後側の内壁にはラック３６がスライドできるように連結され、前記ラック３６には前記円筒１６と当接した当接板３４が設置され、前記当接板３４の前側と前記凹み溝３３の前側の内壁との間には抵抗力撥条３５が連結され、前記切替チャンバ３９の中には前記ラック３６と当接した圧力センサ３８が設置され、前記切替チャンバ３９の中には上下に伸びて前記駆動チャンバ４２の中に入った駆動軸４０が回転できるように連結され、前記切替チャンバ３９には前記歯車３７と噛合伝動できる前記ラック３６が設置され、前記駆動軸４０には前記駆動チャンバ４２の中に位置したカム４１が設置され、前記駆動チャンバ４２の上端の内壁にはスライド溝２８が設置され、前記スライド溝２８には前記カム４１と当接した当接板３２がスライドできるように連結され、前記当接板３２と前記スライド溝２８の内壁との間には圧縮撥条２７が連結され、前記当接板３２の後側端面には固定棒３０が設置され、前記固定棒３０には伝動軸３１が回転できるように連結され、前記伝動軸３１には前記固定棒３０の下端に位置したモーター４３が設置され、前記伝動軸３１には前記固定棒３０の上端に位置した回転輪２９が設置されており、前記当接板３４が前記凹み溝３３の外側に位置し、前記収納板２０が水平に回転した後、前記当接板３４と前記円筒１６との当接により、前記当接板３４と推して移動し、一連の機械駆動によって前記回転輪２９と前記円筒１６とが当接し、かつ前記圧力センサ３８が圧力を受けて前記モーター４３を始動し、前記収納板２０を回転させる。
【００１７】
開始する時、ヒンジ連結座１３はヒンジ連結座１３と連結されたスライドレール４４が時計回り九十度回転した位置に位置し、収納板２０と、回転板２５と、平板２６とがいずれも昇降溝２２の中に位置し、昇降溝２２の制限によって、収納板２０が垂直に置かれており、この時、フィギュアを平板２６に置き、収納板２０によって埃を遮り、当接板３４が凹み溝３３の外側に位置し、かつ圧力センサ３８と当接していなく、それによりモーター４３が停止状態にあり、かつカム４１のうち半径の最短の一端の端面と当接板３２とが当接し、それによりローラー２９が駆動チャンバ４２の中に位置する。
【００１８】
作動する時、手動で回転盤１２を反時計回りに九十度回転させ、この時、弓形棒１７の長さが定値であるため、弓形棒１７をスライドレール４４の中で上にスライドし、支持柱１９を上に移動連動させ、支持柱１９が回転板２５によって収納板２０を上に移動して昇降溝２２の中から滑り出させ、かつ収納板２０が自身の重力によって外に水平に折り返し、この時、当接板３４と円筒１６との当接によって、ラック３６を推して切替チャンバ３９の一側に移動し、噛合によって歯車３７を回転させ、歯車３７が駆動軸４０によってカム４１を半周回し、それにより当接板３２を推して外に移動して円筒１６の端面と当接させ、この時、ラック３６と圧力センサ３８とが当接し、モーター４３を始動し、モーター４３が伝動軸３１によって回転輪２９を回転させ、収納板２０の全体を回転させ、フィギュアを回して展示する。
【００１９】
以上により、本分野の技術人員は本発明の範囲の中に作動模式により様々な変化ができる。
【図１】
2020175105.tif 000003
【図２】
2020175105.tif 000004
【図３】
2020175105.tif 000005
【図４】
2020175105.tif 000006
【図５】
2020175105.tif 000007
【図６】
2020175105.tif 000008
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
フィギュア展示装置であって、台座を含み、前記台座の上端には回転盤が回転できるように連結され、前記回転盤の上側端面には円筒が固定的に連結され、前記円筒の中には上に開口した伝動チャンバが設置され、前記回転盤の上側端面には前記伝動チャンバの中に位置した支持台が固定的に連結され、前記支持台の上側端面には保護筒が回転できるように連結され、前記保護筒の中には上に開口した昇降溝が設置され、前記昇降溝の中には展示装置がスライドできるように連結され、前記展示装置の中には前記展示装置を回転させる回転装置が設置され、前記昇降溝の円周の外側端面には四つのスライドレールが環状に配列分布され、前記スライドレールの中には前記展示装置を制御できる昇降装置が設置され、支持台によって前記昇降装置を制御でき、前記台座を平面に置き、前記回転盤を回転させ、前記支持台によって前記昇降装置を作動駆動し、それにより前記展示装置を上に移動連動させて前記昇降溝から滑り出す時、前記展示装置は重力によって外に翻転して前記円筒の上側端面と当接し、前記回転装置を始動し、前記展示装置を回転させ、フィギュアを全面的に展示することを特徴とするフィギュア展示装置。
【請求項２】
前記昇降装置には前記支持台の外側端面に設置されかつ環状に配列分布された四つのヒンジ連結座が含まれ、前記ヒンジ連結座の中には上下に連通し合っている抜き溝が設置され、前記抜き溝の中には位置制限軸が回転できるように連結され、前記位置制限軸には弓形棒が設置され、前記弓形棒の上端には固定ピンが固定的に連結され、前記スライドレールの中には前記固定ピンと固定的に連結された支持柱がスライドできるように連結されており、前記支持台が回転して前記ヒンジ連結座を回転連動させ、前記弓形棒の長さが定値であるため、前記弓形棒を前記スライドレールの中で上にスライドさせ、前記支持柱を上に移動連動させることを特徴とする請求項１に記載のフィギュア展示装置。
【請求項３】
前記展示装置は前記支持柱のうち対称中心に近接した側の端面と固定的に連結された回転板が含み、前記回転板の間には平板が固定的に連結され、前記回転板には上に開口した開口溝が設置され、前記開口溝の中には収納板が回転できるように連結されており、前記収納板の間が垂直まで回転した後相互に当接でき、前記平板との間と収納空間に形成し、フィギュアを展示したり保存したりすることを特徴とする請求項２に記載のフィギュア展示装置。
【請求項４】
前記回転装置は後側の前記収納板の中に設置された凹み溝を含み、前記凹み溝の前側には切替チャンバが設置され、前記切替チャンバの上端には対称中心から離れた方向に開口した駆動チャンバが連通し合って設置され、前記切替チャンバの後側の内壁にはラックがスライドできるように連結され、前記ラックには前記円筒と当接した当接板が設置され、前記当接板の前側と前記凹み溝の前側の内壁との間には抵抗力撥条が連結され、前記切替チャンバの中には前記ラックと当接した圧力センサが設置され、前記切替チャンバの中には上下に伸びて前記駆動チャンバの中に入った駆動軸が回転できるように連結され、前記切替チャンバには歯車と噛合伝動できる前記ラックが設置され、前記駆動軸には前記駆動チャンバの中に位置したカムが設置され、前記駆動チャンバの上端の内壁にはスライド溝が設置され、前記スライド溝には前記カムと当接した当接板がスライドできるように連結され、前記当接板と前記スライド溝の内壁との間には圧縮撥条が連結され、前記当接板の後側端面には固定棒が設置され、前記固定棒には伝動軸が回転できるように連結され、前記伝動軸には前記固定棒の下端に位置したモーターが設置され、前記伝動軸には前記固定棒の上端に位置した回転輪が設置されており、前記当接板が前記凹み溝の外側に位置し、前記収納板が水平に回転した後、前記当接板と前記円筒との当接により、前記当接板と推して移動し、一連の機械駆動によって前記回転輪と前記円筒とが当接し、かつ前記圧力センサが圧力を受けて前記モーターを始動し、前記収納板を回転させることを特徴とする請求項３に記載のフィギュア展示装置。
【手続補正２】
【補正対象書類名】明細書
【補正対象項目名】全文
【補正方法】変更
【補正の内容】
【発明の詳細な説明】
【技術分野】
【０００１】
本発明は玩具の技術分野を取り上げて、具体的にはフィギュア展示装置である。
【背景技術】
【０００２】
伝統的なフィギュアは清潔を保つまたは酸化を伸ばすため、ケースに封をして保管し、鑑賞する時人工的に開いて取り出す必要があり、それに通常に一つの方向に向かって変わらずに置くしかできなく、全方位の鑑賞はできなく、本発明は上記の問題を解決できる装置を説明する。
【先行技術文献】
【特許文献】
【０００３】
【特許文献１】中国特許出願公開第１０９２２２５０９号明細書
【発明の概要】
【発明が解決しようとする課題】
【０００４】
本発明の目的はフィギュア展示装置を提供し、それが現有の技術の問題を克服できる。
【課題を解決するための手段】
【０００５】
本発明のフィギュア展示装置は、台座を含み、前記台座の上端には回転盤が回転できるように連結され、前記回転盤の上側端面には円筒が固定的に連結され、前記円筒の中には上に開口した伝動チャンバが設置され、前記回転盤の上側端面には前記伝動チャンバの中に位置した支持台が固定的に連結され、前記支持台の上側端面には保護筒が回転できるように連結され、前記保護筒の中には上に開口した昇降溝が設置され、前記昇降溝の中には展示装置がスライドできるように連結され、前記展示装置の中には前記展示装置を回転させる回転装置が設置され、前記昇降溝の円周の外側端面には四つのスライドレールが環状に配列分布され、前記スライドレールの中には前記展示装置を制御できる昇降装置が設置され、支持台によって前記昇降装置を制御でき、前記台座を平面に置き、前記回転盤を回転させ、前記支持台によって前記昇降装置を作動駆動し、それにより前記展示装置を上に移動連動させて前記昇降溝から滑り出す時、前記展示装置は重力によって外に翻転して前記円筒の上側端面と当接し、前記回転装置を始動し、前記展示装置を回転させ、フィギュアを全面的に展示する。
【０００６】
更なる技術方案、前記昇降装置には前記支持台の外側端面に設置されかつ環状に配列分布された四つのヒンジ連結座が含まれ、前記ヒンジ連結座の中には上下に連通し合っている抜き溝が設置され、前記抜き溝の中には位置制限軸が回転できるように連結され、前記位置制限軸には弓形棒が設置され、前記弓形棒の上端には固定ピンが固定的に連結され、前記スライドレールの中には前記固定ピンと固定的に連結された支持柱がスライドできるように連結されており、前記支持台が回転して前記ヒンジ連結座を回転連動させ、前記弓形棒の長さが定値であるため、前記弓形棒を前記スライドレールの中で上にスライドさせ、前記支持柱を上に移動連動させる。
【０００７】
更なる技術方案、前記展示装置は前記支持柱のうち対称中心に近接した側の端面と固定的に連結された回転板が含み、前記回転板の間には平板が固定的に連結され、前記回転板には上に開口した開口溝が設置され、前記開口溝の中には収納板が回転できるように連結されており、前記収納板の間が垂直まで回転した後相互に当接でき、前記平板との間と収納空間に形成し、フィギュアを展示したり保存したりする。
【０００８】
更なる技術方案、前記回転装置は後側の前記収納板の中に設置された凹み溝を含み、前記凹み溝の前側には切替チャンバが設置され、前記切替チャンバの上端には対称中心から離れた方向に開口した駆動チャンバが連通し合って設置され、前記切替チャンバの後側の内壁にはラックがスライドできるように連結され、前記ラックには前記円筒と当接した当接板が設置され、前記当接板の前側と前記凹み溝の前側の内壁との間には抵抗力撥条が連結され、前記切替チャンバの中には前記ラックと当接した圧力センサが設置され、前記切替チャンバの中には上下に伸びて前記駆動チャンバの中に入った駆動軸が回転できるように連結され、前記切替チャンバには歯車と噛合伝動できる前記ラックが設置され、前記駆動軸には前記駆動チャンバの中に位置したカムが設置され、前記駆動チャンバの上端の内壁にはスライド溝が設置され、前記スライド溝には前記カムと当接した当接板がスライドできるように連結され、前記当接板と前記スライド溝の内壁との間には圧縮撥条が連結され、前記当接板の後側端面には固定棒が設置され、前記固定棒には伝動軸が回転できるように連結され、前記伝動軸には前記固定棒の下端に位置したモーターが設置され、前記伝動軸には前記固定棒の上端に位置した回転輪が設置されており、前記当接板が前記凹み溝の外側に位置し、前記収納板が水平に回転した後、前記当接板と前記円筒との当接により、前記当接板と推して移動し、一連の機械駆動によって前記回転輪と前記円筒とが当接し、かつ前記圧力センサが圧力を受けて前記モーターを始動し、前記収納板を回転させる。
【発明の効果】
【０００９】
本発明の有益な効果は下記の通りである：
【００１０】
本発明は、同じトレイに設置されて独立に回転できる仕切板が昇降する過程で溝に制限されて当接しあい、自動的にフィギュアの保護収納を実現でき、それに仕切板の自身の位置の変化によって、回転構造を自動的に始動し、フィギュアを更に全面的に立体な角度に展示し、九十度回転の力さえあれば設備の作動を実現でき、操作が便利である。
【図面の簡単な説明】
【００１１】
便利に説明するため、本発明は下記の具体実施例及び附図によって詳しく説明する。
【図１】図１は本発明のフィギュア展示装置の全体構造模式図
【図２】図２は図１の「Ａ−Ａ」の構造模式図
【図３】図３は図２の「Ｂ−Ｂ」の構造模式図
【図４】図４は図２の回転装置の構造模式図
【図５】図５は図２の「Ｃ−Ｃ」の構造模式図
【図６】図６は図５の「Ｄ］の拡大構造模式図
【発明を実施するための形態】
【００１２】
以下は図１−６について本発明にを詳しく説明し、その中、便利に叙述するように、後文に出る方位を下記の通りに規定する：後文に出る上下左右前後方向は図１本体の投影関係の上下左右前後方向と一致する。
【００１３】
本発明のフィギュア展示装置は、台座１１を含み、前記台座１１の上端には回転盤１２が回転できるように連結され、前記回転盤１２の上側端面には円筒１６が固定的に連結され、前記円筒１６の中には上に開口した伝動チャンバ１５が設置され、前記回転盤１２の上側端面には前記伝動チャンバ１５の中に位置した支持台１４が固定的に連結され、前記支持台１４の上側端面には保護筒２１が回転できるように連結され、前記保護筒２１の中には上に開口した昇降溝２２が設置され、前記昇降溝２２の中には展示装置９０１がスライドできるように連結され、前記展示装置９０１の中には前記展示装置９０１を回転させる回転装置９０２が設置され、前記昇降溝２２の円周の外側端面には四つのスライドレール４４が環状に配列分布され、前記スライドレール４４の中には前記展示装置９０１を制御できる昇降装置９０３が設置され、支持台１４によって前記昇降装置９０３を制御でき、前記台座１１を平面に置き、前記回転盤１２を回転させ、前記支持台１４によって前記昇降装置９０３を作動駆動し、それにより前記展示装置９０１を上に移動連動させて前記昇降溝２２から滑り出す時、前記展示装置９０１は重力によって外に翻転して前記円筒１６の上側端面と当接し、前記回転装置９０２を始動し、前記展示装置９０１を回転させ、フィギュアを全面的に展示する。
【００１４】
有益なように、前記昇降装置９０３には前記支持台１４の外側端面に設置されかつ環状に配列分布された四つのヒンジ連結座１３が含まれ、前記ヒンジ連結座１３の中には上下に連通し合っている抜き溝４５が設置され、前記抜き溝４５の中には位置制限軸４６が回転できるように連結され、前記位置制限軸４６には弓形棒１７が設置され、前記弓形棒１７の上端には固定ピン１８が固定的に連結され、前記スライドレール４４の中には前記固定ピン１８と固定的に連結された支持柱１９がスライドできるように連結されており、前記支持台１４が回転して前記ヒンジ連結座１３を回転連動させ、前記弓形棒１７の長さが定値であるため、前記弓形棒１７を前記スライドレール４４の中で上にスライドさせ、前記支持柱を上に移動連動させる。
【００１５】
有益なように、前記展示装置９０１は前記支持柱１９のうち対称中心に近接した側の端面と固定的に連結された回転板２５が含み、前記回転板２５の間には平板２６が固定的に連結され、前記回転板２５には上に開口した開口溝２４が設置され、前記開口溝２４の中には収納板２０が回転できるように連結されており、前記収納板２０の間が垂直まで回転した後相互に当接でき、前記平板２６との間と収納空間に形成し、フィギュアを展示したり保存したりする。
【００１６】
有益なように、前記回転装置９０２は後側の前記収納板２０の中に設置された凹み溝３３を含み、前記凹み溝３３の前側には切替チャンバ３９が設置され、前記切替チャンバ３９の上端には対称中心から離れた方向に開口した駆動チャンバ４２が連通し合って設置され、前記切替チャンバ３９の後側の内壁にはラック３６がスライドできるように連結され、前記ラック３６には前記円筒１６と当接した当接板３４が設置され、前記当接板３４の前側と前記凹み溝３３の前側の内壁との間には抵抗力撥条３５が連結され、前記切替チャンバ３９の中には前記ラック３６と当接した圧力センサ３８が設置され、前記切替チャンバ３９の中には上下に伸びて前記駆動チャンバ４２の中に入った駆動軸４０が回転できるように連結され、前記切替チャンバ３９には歯車３７と噛合伝動できる前記ラック３６が設置され、前記駆動軸４０には前記駆動チャンバ４２の中に位置したカム４１が設置され、前記駆動チャンバ４２の上端の内壁にはスライド溝２８が設置され、前記スライド溝２８には前記カム４１と当接した当接板３２がスライドできるように連結され、前記当接板３２と前記スライド溝２８の内壁との間には圧縮撥条２７が連結され、前記当接板３２の後側端面には固定棒３０が設置され、前記固定棒３０には伝動軸３１が回転できるように連結され、前記伝動軸３１には前記固定棒３０の下端に位置したモーター４３が設置され、前記伝動軸３１には前記固定棒３０の上端に位置した回転輪２９が設置されており、前記当接板３４が前記凹み溝３３の外側に位置し、前記収納板２０が水平に回転した後、前記当接板３４と前記円筒１６との当接により、前記当接板３４と推して移動し、一連の機械駆動によって前記回転輪２９と前記円筒１６とが当接し、かつ前記圧力センサ３８が圧力を受けて前記モーター４３を始動し、前記収納板２０を回転させる。
【００１７】
開始する時、ヒンジ連結座１３はヒンジ連結座１３と連結されたスライドレール４４が時計回り九十度回転した位置に位置し、収納板２０と、回転板２５と、平板２６とがいずれも昇降溝２２の中に位置し、昇降溝２２の制限によって、収納板２０が垂直に置かれており、この時、フィギュアを平板２６に置き、収納板２０によって埃を遮り、当接板３４が凹み溝３３の外側に位置し、かつ圧力センサ３８と当接していなく、それによりモーター４３が停止状態にあり、かつカム４１のうち半径の最短の一端の端面と当接板３２とが当接し、それによりローラー２９が駆動チャンバ４２の中に位置する。
【００１８】
作動する時、手動で回転盤１２を反時計回りに九十度回転させ、この時、弓形棒１７の長さが定値であるため、弓形棒１７をスライドレール４４の中で上にスライドし、支持柱１９を上に移動連動させ、支持柱１９が回転板２５によって収納板２０を上に移動して昇降溝２２の中から滑り出させ、かつ収納板２０が自身の重力によって外に水平に折り返し、この時、当接板３４と円筒１６との当接によって、ラック３６を推して切替チャンバ３９の一側に移動し、噛合によって歯車３７を回転させ、歯車３７が駆動軸４０によってカム４１を半周回し、それにより当接板３２を推して外に移動して円筒１６の端面と当接させ、この時、ラック３６と圧力センサ３８とが当接し、モーター４３を始動し、モーター４３が伝動軸３１によって回転輪２９を回転させ、収納板２０の全体を回転させ、フィギュアを回して展示する。
【００１９】
以上により、本分野の技術人員は本発明の範囲の中に作動模式により様々な変化ができる。
【手続補正書】
【提出日】令和2年1月7日(2020.1.7)
【手続補正１】
【補正対象書類名】特許請求の範囲
【補正対象項目名】請求項４
【補正方法】変更
【補正の内容】
【請求項４】
前記回転装置は後側の前記収納板の中に設置された凹み溝を含み、前記凹み溝の前側には切替チャンバが設置され、前記切替チャンバの上端には対称中心から離れた方向に開口した駆動チャンバが連通し合って設置され、前記切替チャンバの後側の内壁にはラックがスライドできるように連結され、前記ラックには前記円筒と当接した当接板が設置され、前記当接板の前側と前記凹み溝の前側の内壁との間には抵抗力撥条が連結され、前記切替チャンバの中には前記ラックと当接した圧力センサが設置され、前記切替チャンバの中には上下に伸びて前記駆動チャンバの中に入った駆動軸が回転できるように連結され、前記駆動軸には前記ラックと噛合伝動できる歯車が設置され、前記駆動軸には前記駆動チャンバの中に位置したカムが設置され、前記駆動チャンバの上端の内壁にはスライド溝が設置され、前記スライド溝には前記カムと当接した当接板がスライドできるように連結され、前記当接板と前記スライド溝の内壁との間には圧縮撥条が連結され、前記当接板の後側端面には固定棒が設置され、前記固定棒には伝動軸が回転できるように連結され、前記伝動軸には前記固定棒の下端に位置したモーターが設置され、前記伝動軸には前記固定棒の上端に位置した回転輪が設置されており、前記当接板が前記凹み溝の外側に位置し、前記収納板が水平に回転した後、前記当接板と前記円筒との当接により、前記当接板と推して移動し、一連の機械駆動によって前記回転輪と前記円筒とが当接し、かつ前記圧力センサが圧力を受けて前記モーターを始動し、前記収納板を回転させることを特徴とする請求項３に記載のフィギュア展示装置。
【手続補正２】
【補正対象書類名】明細書
【補正対象項目名】全文
【補正方法】変更
【補正の内容】
【発明の詳細な説明】
【技術分野】
【０００１】
本発明は玩具の技術分野を取り上げて、具体的にはフィギュア展示装置である。
【背景技術】
【０００２】
伝統的なフィギュアは清潔を保つまたは酸化を伸ばすため、ケースに封をして保管し、鑑賞する時人工的に開いて取り出す必要があり、それに通常に一つの方向に向かって変わらずに置くしかできなく、全方位の鑑賞はできなく、本発明は上記の問題を解決できる装置を説明する。
【先行技術文献】
【特許文献】
【０００３】
【特許文献１】中国特許出願公開第１０９２２２５０９号明細書
【発明の概要】
【発明が解決しようとする課題】
【０００４】
本発明の目的はフィギュア展示装置を提供し、それが現有の技術の問題を克服できる。
【課題を解決するための手段】
【０００５】
本発明のフィギュア展示装置は、台座を含み、前記台座の上端には回転盤が回転できるように連結され、前記回転盤の上側端面には円筒が固定的に連結され、前記円筒の中には上に開口した伝動チャンバが設置され、前記回転盤の上側端面には前記伝動チャンバの中に位置した支持台が固定的に連結され、前記支持台の上側端面には保護筒が回転できるように連結され、前記保護筒の中には上に開口した昇降溝が設置され、前記昇降溝の中には展示装置がスライドできるように連結され、前記展示装置の中には前記展示装置を回転させる回転装置が設置され、前記昇降溝の円周の外側端面には四つのスライドレールが環状に配列分布され、前記スライドレールの中には前記展示装置を制御できる昇降装置が設置され、支持台によって前記昇降装置を制御でき、前記台座を平面に置き、前記回転盤を回転させ、前記支持台によって前記昇降装置を作動駆動し、それにより前記展示装置を上に移動連動させて前記昇降溝から滑り出す時、前記展示装置は重力によって外に翻転して前記円筒の上側端面と当接し、前記回転装置を始動し、前記展示装置を回転させ、フィギュアを全面的に展示する。
【０００６】
更なる技術方案、前記昇降装置には前記支持台の外側端面に設置されかつ環状に配列分布された四つのヒンジ連結座が含まれ、前記ヒンジ連結座の中には上下に連通し合っている抜き溝が設置され、前記抜き溝の中には位置制限軸が回転できるように連結され、前記位置制限軸には弓形棒が設置され、前記弓形棒の上端には固定ピンが固定的に連結され、前記スライドレールの中には前記固定ピンと固定的に連結された支持柱がスライドできるように連結されており、前記支持台が回転して前記ヒンジ連結座を回転連動させ、前記弓形棒の長さが定値であるため、前記弓形棒を前記スライドレールの中で上にスライドさせ、前記支持柱を上に移動連動させる。
【０００７】
更なる技術方案、前記展示装置は前記支持柱のうち対称中心に近接した側の端面と固定的に連結された回転板が含み、前記回転板の間には平板が固定的に連結され、前記回転板には上に開口した開口溝が設置され、前記開口溝の中には収納板が回転できるように連結されており、前記収納板の間が垂直まで回転した後相互に当接でき、前記平板との間と収納空間に形成し、フィギュアを展示したり保存したりする。
【０００８】
更なる技術方案、前記回転装置は後側の前記収納板の中に設置された凹み溝を含み、前記凹み溝の前側には切替チャンバが設置され、前記切替チャンバの上端には対称中心から離れた方向に開口した駆動チャンバが連通し合って設置され、前記切替チャンバの後側の内壁にはラックがスライドできるように連結され、前記ラックには前記円筒と当接した当接板が設置され、前記当接板の前側と前記凹み溝の前側の内壁との間には抵抗力撥条が連結され、前記切替チャンバの中には前記ラックと当接した圧力センサが設置され、前記切替チャンバの中には上下に伸びて前記駆動チャンバの中に入った駆動軸が回転できるように連結され、前記駆動軸には前記ラックと噛合伝動できる歯車が設置され、前記駆動軸には前記駆動チャンバの中に位置したカムが設置され、前記駆動チャンバの上端の内壁にはスライド溝が設置され、前記スライド溝には前記カムと当接した当接板がスライドできるように連結され、前記当接板と前記スライド溝の内壁との間には圧縮撥条が連結され、前記当接板の後側端面には固定棒が設置され、前記固定棒には伝動軸が回転できるように連結され、前記伝動軸には前記固定棒の下端に位置したモーターが設置され、前記伝動軸には前記固定棒の上端に位置した回転輪が設置されており、前記当接板が前記凹み溝の外側に位置し、前記収納板が水平に回転した後、前記当接板と前記円筒との当接により、前記当接板と推して移動し、一連の機械駆動によって前記回転輪と前記円筒とが当接し、かつ前記圧力センサが圧力を受けて前記モーターを始動し、前記収納板を回転させる。
【発明の効果】
【０００９】
本発明の有益な効果は下記の通りである：
【００１０】
本発明は、同じトレイに設置されて独立に回転できる仕切板が昇降する過程で溝に制限されて当接しあい、自動的にフィギュアの保護収納を実現でき、それに仕切板の自身の位置の変化によって、回転構造を自動的に始動し、フィギュアを更に全面的に立体な角度に展示し、九十度回転の力さえあれば設備の作動を実現でき、操作が便利である。
【図面の簡単な説明】
【００１１】
便利に説明するため、本発明は下記の具体実施例及び附図によって詳しく説明する。
【図１】図１は本発明のフィギュア展示装置の全体構造模式図
【図２】図２は図１の「Ａ−Ａ」の構造模式図
【図３】図３は図２の「Ｂ−Ｂ」の構造模式図
【図４】図４は図２の回転装置の構造模式図
【図５】図５は図２の「Ｃ−Ｃ」の構造模式図
【図６】図６は図５の「Ｄ］の拡大構造模式図
【発明を実施するための形態】
【００１２】
以下は図１−６について本発明にを詳しく説明し、その中、便利に叙述するように、後文に出る方位を下記の通りに規定する：後文に出る上下左右前後方向は図１本体の投影関係の上下左右前後方向と一致する。
【００１３】
本発明のフィギュア展示装置は、台座１１を含み、前記台座１１の上端には回転盤１２が回転できるように連結され、前記回転盤１２の上側端面には円筒１６が固定的に連結され、前記円筒１６の中には上に開口した伝動チャンバ１５が設置され、前記回転盤１２の上側端面には前記伝動チャンバ１５の中に位置した支持台１４が固定的に連結され、前記支持台１４の上側端面には保護筒２１が回転できるように連結され、前記保護筒２１の中には上に開口した昇降溝２２が設置され、前記昇降溝２２の中には展示装置９０１がスライドできるように連結され、前記展示装置９０１の中には前記展示装置９０１を回転させる回転装置９０２が設置され、前記昇降溝２２の円周の外側端面には四つのスライドレール４４が環状に配列分布され、前記スライドレール４４の中には前記展示装置９０１を制御できる昇降装置９０３が設置され、支持台１４によって前記昇降装置９０３を制御でき、前記台座１１を平面に置き、前記回転盤１２を回転させ、前記支持台１４によって前記昇降装置９０３を作動駆動し、それにより前記展示装置９０１を上に移動連動させて前記昇降溝２２から滑り出す時、前記展示装置９０１は重力によって外に翻転して前記円筒１６の上側端面と当接し、前記回転装置９０２を始動し、前記展示装置９０１を回転させ、フィギュアを全面的に展示する。
【００１４】
有益なように、前記昇降装置９０３には前記支持台１４の外側端面に設置されかつ環状に配列分布された四つのヒンジ連結座１３が含まれ、前記ヒンジ連結座１３の中には上下に連通し合っている抜き溝４５が設置され、前記抜き溝４５の中には位置制限軸４６が回転できるように連結され、前記位置制限軸４６には弓形棒１７が設置され、前記弓形棒１７の上端には固定ピン１８が固定的に連結され、前記スライドレール４４の中には前記固定ピン１８と固定的に連結された支持柱１９がスライドできるように連結されており、前記支持台１４が回転して前記ヒンジ連結座１３を回転連動させ、前記弓形棒１７の長さが定値であるため、前記弓形棒１７を前記スライドレール４４の中で上にスライドさせ、前記支持柱を上に移動連動させる。
【００１５】
有益なように、前記展示装置９０１は前記支持柱１９のうち対称中心に近接した側の端面と固定的に連結された回転板２５が含み、前記回転板２５の間には平板２６が固定的に連結され、前記回転板２５には上に開口した開口溝２４が設置され、前記開口溝２４の中には収納板２０が回転できるように連結されており、前記収納板２０の間が垂直まで回転した後相互に当接でき、前記平板２６との間と収納空間に形成し、フィギュアを展示したり保存したりする。
【００１６】
有益なように、前記回転装置９０２は後側の前記収納板２０の中に設置された凹み溝３３を含み、前記凹み溝３３の前側には切替チャンバ３９が設置され、前記切替チャンバ３９の上端には対称中心から離れた方向に開口した駆動チャンバ４２が連通し合って設置され、前記切替チャンバ３９の後側の内壁にはラック３６がスライドできるように連結され、前記ラック３６には前記円筒１６と当接した当接板３４が設置され、前記当接板３４の前側と前記凹み溝３３の前側の内壁との間には抵抗力撥条３５が連結され、前記切替チャンバ３９の中には前記ラック３６と当接した圧力センサ３８が設置され、前記切替チャンバ３９の中には上下に伸びて前記駆動チャンバ４２の中に入った駆動軸４０が回転できるように連結され、前記駆動軸４０には前記ラック３６と噛合伝動できる歯車３７が設置され、前記駆動軸４０には前記駆動チャンバ４２の中に位置したカム４１が設置され、前記駆動チャンバ４２の上端の内壁にはスライド溝２８が設置され、前記スライド溝２８には前記カム４１と当接した当接板３２がスライドできるように連結され、前記当接板３２と前記スライド溝２８の内壁との間には圧縮撥条２７が連結され、前記当接板３２の後側端面には固定棒３０が設置され、前記固定棒３０には伝動軸３１が回転できるように連結され、前記伝動軸３１には前記固定棒３０の下端に位置したモーター４３が設置され、前記伝動軸３１には前記固定棒３０の上端に位置した回転輪２９が設置されており、前記当接板３４が前記凹み溝３３の外側に位置し、前記収納板２０が水平に回転した後、前記当接板３４と前記円筒１６との当接により、前記当接板３４と推して移動し、一連の機械駆動によって前記回転輪２９と前記円筒１６とが当接し、かつ前記圧力センサ３８が圧力を受けて前記モーター４３を始動し、前記収納板２０を回転させる。
【００１７】
開始する時、ヒンジ連結座１３はヒンジ連結座１３と連結されたスライドレール４４が時計回り九十度回転した位置に位置し、収納板２０と、回転板２５と、平板２６とがいずれも昇降溝２２の中に位置し、昇降溝２２の制限によって、収納板２０が垂直に置かれており、この時、フィギュアを平板２６に置き、収納板２０によって埃を遮り、当接板３４が凹み溝３３の外側に位置し、かつ圧力センサ３８と当接していなく、それによりモーター４３が停止状態にあり、かつカム４１のうち半径の最短の一端の端面と当接板３２とが当接し、それによりローラー２９が駆動チャンバ４２の中に位置する。
【００１８】
作動する時、手動で回転盤１２を反時計回りに九十度回転させ、この時、弓形棒１７の長さが定値であるため、弓形棒１７をスライドレール４４の中で上にスライドし、支持柱１９を上に移動連動させ、支持柱１９が回転板２５によって収納板２０を上に移動して昇降溝２２の中から滑り出させ、かつ収納板２０が自身の重力によって外に水平に折り返し、この時、当接板３４と円筒１６との当接によって、ラック３６を推して切替チャンバ３９の一側に移動し、噛合によって歯車３７を回転させ、歯車３７が駆動軸４０によってカム４１を半周回し、それにより当接板３２を推して外に移動して円筒１６の端面と当接させ、この時、ラック３６と圧力センサ３８とが当接し、モーター４３を始動し、モーター４３が伝動軸３１によって回転輪２９を回転させ、収納板２０の全体を回転させ、フィギュアを回して展示する。
【００１９】
以上により、本分野の技術人員は本発明の範囲の中に作動模式により様々な変化ができる。